(57)【要約】【課題】所望の箇所の異なる特性を視覚的に把握しやすくする。【解決手段】表示対象の第１領域における第１特性を示す主画面５１を、表示部５０で表示する。そして、主画面５１内で指定される第２領域における、前記第１特性とは異なる種別の第２特性を示す副画面５２を、前記第２領域に対応する主画面５１上の位置に重ねて、表示部５０で表示する。【選択図】図１
2017208031.tif 000002
【特許請求の範囲】
【請求項１】
表示対象の第１領域における第１特性を示す主画面を、表示部で表示し、
前記主画面内で指定される第２領域における、前記第１特性とは異なる種別の第２特性を示す副画面を、前記第２領域に対応する前記主画面上の位置に重ねて、前記表示部で表示する、
処理を、コンピュータに実行させる、特性表示プログラム。
【請求項２】
前記コンピュータは、前記第１特性のデータと前記第２特性のデータとを記憶する記憶部を有し、
前記記憶部から読み出した前記第１特性のデータを示す前記主画面を作成し、
作成した該主画面を前記表示部に表示し、
前記主画面内で前記第２領域の範囲の指定を受け付けると、受け付けた前記第２領域の範囲にある前記第２特性のデータを前記記憶部から読み出して前記副画面を作成し、
作成した前記副画面を前記主画面上の前記第２領域の位置に重ねた表示画面を作成し、
作成した該表示画面を前記表示部に表示する、
処理を、前記コンピュータに実行させる、請求項１記載の特性表示プログラム。
【請求項３】
前記副画面が前記主画面上で移動する際、前記副画面の移動に伴って前記副画面が通過する前記表示対象の領域における前記第２特性を、前記副画面の移動に追従させて、前記表示部で前記副画面に表示する、
処理を、前記コンピュータに実行させる、請求項１または請求項２に記載の特性表示プログラム。
【請求項４】
異なる種別の複数の特性にそれぞれ対応する複数のアイコンを、前記副画面とともに、前記表示部で表示し、
前記複数のアイコンの中から選択される一のアイコンに対応する特性を、前記第２特性として、前記表示部で前記副画面に表示する、
処理を、前記コンピュータに実行させる、請求項１〜請求項３のいずれか一項に記載の特性表示プログラム。
【請求項５】
各アイコンとして、各アイコンを選択した場合に前記表示部で表示される前記副画面を縮小した縮小画面を用いる、
処理を、前記コンピュータに実行させる、請求項４に記載の特性表示プログラム。
【請求項６】
前記副画面が前記主画面上で移動する際、前記副画面の移動に伴って前記副画面が通過する前記表示対象の領域における前記第２特性を、前記副画面の移動に追従させて、前記表示部で各アイコンとしての前記縮小画面に表示する、
処理を、前記コンピュータに実行させる、請求項５に記載の特性表示プログラム。
【請求項７】
前記一のアイコンに対応する特性を前記副画面に表示する処理と並行して、前記複数の特性のうち、前記一のアイコンに対応する特性以外の特性を示す副画面を表示するための表示データを先行生成する、
処理を、前記コンピュータに実行させる、請求項４〜請求項６のいずれか一項に記載の特性表示プログラム。
【請求項８】
表示部の表示状態を制御する処理部を有し、
前記処理部は、
表示対象の第１領域における第１特性を示す主画面を、前記表示部で表示するように、前記表示部の表示状態を制御し、
前記主画面内で指定される第２領域における、前記第１特性とは異なる種別の第２特性を示す副画面を、前記第２領域に対応する前記主画面上の位置に重ねて、前記表示部で表示するように、前記表示部の表示状態を制御する、情報処理装置。
【請求項９】
表示対象の第１領域における第１特性を示す主画面を、表示部で表示し、
前記主画面内で指定される第２領域における、前記第１特性とは異なる種別の第２特性を示す副画面を、前記第２領域に対応する前記主画面上の位置に重ねて、前記表示部で表示する、特性表示方法。
【発明の詳細な説明】
【技術分野】
【０００１】
本発明は、特性表示プログラム、情報処理装置、及び特性表示方法に関する。
【背景技術】
【０００２】
物理現象をコンピュータによって解析する数値解析は、コンピュータを構成する各種ハードウェアの性能向上に伴い、種々の物理現象を対象にして広く実行されている。
【０００３】
ところで、物理現象は、２種類以上の現象が相互に連成し合う連成現象であることが多い。このような連成現象を対象とする数値解析を行なった場合、２種類以上の特性、例えば風量，温度，圧力などの物理量のそれぞれについて数値解析の結果が得られる。
【０００４】
数値解析によって得られた２種類以上の物理量は、表示部において物理量ごとに、例えば等値線図／等高線図（コンター図），ベクトル図などの各種分布図として表示される。ユーザは、表示部で表示された各種分布図を参照し、２種類以上の特性の分布状況を把握して、数値解析の結果を総合的に評価している。
【先行技術文献】
【特許文献】
【０００５】
【特許文献１】特開平８−３２９０４２号公報
【特許文献２】特開２００７−１９３５２６号公報
【発明の概要】
【発明が解決しようとする課題】
【０００６】
上述のように数値解析によって得られた２種類以上の物理量の表示は、基本的に、物理量ごとに表示部上における別々の画面（ウインドウ）内で行なわれる。
【０００７】
このため、ユーザは、異なる物理量を参照して比較する際には、表示部上の画面内に表示される分布図の切替を行なうか、または、２種類以上の物理量についての２以上の分布図を表示部上において並列的に配置して表示する。
【０００８】
したがって、ユーザは、分布図の切替を行ないながら、または、並列表示された分布図を比較しながら、異なる分布図上での同一領域の凡その位置の見当を付ける。そして、ユーザは、見当を付けた同一領域の異なる物理量の分布状況を参照・把握し、数値解析の結果を総合的に評価する。
【０００９】
このため、ユーザは、所望の領域（例えば上記同一領域）における異なる物理量を正確に把握し難く、数値解析の結果を総合的に評価するために多大な時間がかかるとともに、数値解析結果の評価精度が低下する。
【００１０】
一つの側面では、本件明細書に開示の発明は、所望の領域における異なる特性を視覚的に把握しやすくすることを目的とする。
【課題を解決するための手段】
【００１１】
本件の特性表示プログラムは、以下の処理（１）及び（２）をコンピュータに実行させる。
（１）表示対象の第１領域における第１特性を示す主画面を、表示部で表示する処理。
（２）前記主画面内で指定される第２領域における、前記第１特性とは異なる種別の第２特性を示す副画面を、前記第２領域に対応する前記主画面上の位置に重ねて、前記表示部で表示する処理。
【発明の効果】
【００１２】
所望の領域における異なる特性を視覚的に把握しやすくなる。
【図面の簡単な説明】
【００１３】
【図１】本実施形態の概要を説明すべく、本実施形態において第１特性及び第２特性をそれぞれ示す主画面及び副画面の表示状態の一例を示す図である。
【図２】本実施形態の特性表示機能を有する情報処理装置のハードウェア構成を説明するブロック図である。
【図３】本実施形態の特性表示機能を有する情報処理装置の機能構成を説明するブロック図である。
【図４】本実施形態の特性表示機能を有する情報処理装置の動作を概略的に説明するフローチャートである。
【図５】本実施形態における主画面の表示処理を説明するフローチャートである。
【図６】本実施形態における副画面及び縮小画面の表示処理を説明するフローチャートである。
【図７】本実施形態における縮小画面に対する操作に伴う画面切替処理を説明するフローチャートである。
【図８】本実施形態における副画面の移動操作時に副画面及び縮小画面の表示内容を追従させる処理を説明するフローチャートである。
【図９】第１特性としての流速分布のベクトル図を示す主画面の表示状態の一例を示す図である。
【図１０】図９に示す主画面上で第２特性としての温度分布のコンター図を示す副画面を表示した場合の表示状態の一例を示す図である。
【図１１】第１特性としての風量分布のコンター図を示す主画面の表示状態の一例を示す図である。
【図１２】第１特性としての温度分布のコンター図を示す主画面の表示状態の一例を示す図である。
【図１３】第１特性としての圧力分布のコンター図を示す主画面の表示状態の一例を示す図である。
【図１４】図１１に示す主画面上で、第２特性としての温度分布のコンター図を示す副画面と、縮小画面とを表示した場合の表示状態の一例を示す図である。
【図１５】図１４に示す表示状態において縮小画面を操作することで、副画面上で表示される第２特性を温度分布のコンター図から圧力分布のコンター図へ切り替えた場合の表示状態の一例を示す図である。
【発明を実施するための形態】
【００１４】
以下に、図面を参照し、本願の開示する特性表示プログラム、情報処理装置、及び特性表示方法の実施形態について、詳細に説明する。ただし、以下に示す実施形態は、あくまでも例示に過ぎず、実施形態で明示しない種々の変形例や技術の適用を排除する意図はない。すなわち、本実施形態を、その趣旨を逸脱しない範囲で種々変形して実施することができる。また、各図は、図中に示す構成要素のみを備えるという趣旨ではなく、他の機能を含むことができる。そして、各実施形態は、処理内容を矛盾させない範囲で適宜組み合わせることが可能である。
【００１５】
〔１〕本実施形態の概要
既存技術を用いた場合、ユーザは、上述したように、異なる分布図上での同一領域の凡その位置の見当を付け、見当を付けた同一領域の異なる物理量の分布状況を把握し、数値解析の結果を総合的に評価する。このため、ユーザは、同一領域における異なる物理量を正確に把握し難い。
【００１６】
そこで、本実施形態では、以下のような表示が行なわれる。ここで、図１を参照しながら、本実施形態の概要について説明する。図１は、本実施形態において第１特性及び第２特性をそれぞれ示す主画面５１及び副画面５２の表示状態の一例を示す図である。なお、特性（または物理特性），第１特性，第２特性はそれぞれ物理量，第１物理量，第２物理量と称されてもよいし、主画面はマスタ画面またはマスタウインドウと称されてもよいし、副画面はサブ画面またはサブウインドウと称されてもよい。
【００１７】
図１に示すように、本実施形態では、表示対象つまり解析対象の第１領域（主領域）における第１特性を示す主画面５１が、表示部５０で表示される。第１領域は、例えば、複数の部品を搭載された基板全体の領域である。主画面５１は、表示部５０における表示画面全領域であってもよいし、前記表示画面上に表示される一つのウインドウであってもよい。前記第１領域（主領域）は、主画面５１内に表示される。第１特性は、例えば、流速の分布に相当する流速コンター図あるいは流速ベクトル図である。
【００１８】
このとき、図１に示すように、本実施形態では、ユーザによって主画面５１内で指定される第２領域（副領域）における第２特性を示す副画面５２が、当該第２領域に対応する主画面５１上の位置に重ねて、表示部５０で表示される。第２領域は、第１領域内における当該第１領域よりも狭い領域であり、例えば、ユーザの着目する基板上の部品を含む所望の領域である。第２特性は、第１特性とは異なる種別の第２物理量であり、例えば、温度，圧力，風量，応力，磁束密度，ローレンツ力などの分布に相当するコンター図あるいはベクトル図である。また、サブ画面５２は、少なくとも、ユーザによって指定される第２領域を含んでいればよいが、本実施形態において、サブ画面５２は、当該第２領域と同一サイズかつ同一形状を有している。
【００１９】
図１では、ユーザによって二つの第２領域が指定された例が示されている。このため、主画面５１では、二つの第２領域のそれぞれについて、サブ画面５２とカラースケール５３とアイコン５４とが表示されている。つまり、ユーザが指定した二つの第２領域についての二つのサブ画面５２が、各第２領域に対応する主画面５１上の位置に重ねて、表示部５０で表示される。また、各サブ画面５２の近傍には、各サブ画面５２における色彩の客観的な判断に用いるカラースケール５３が表示されている。サブ画面５２の内容を把握する際に色彩の客観的な判断が不要である場合、カラースケール５３の表示は省略される。各サブ画面５２の近傍に表示される複数（図１では３個ずつ）のアイコン５４については後述する。
【００２０】
なお、図１では、二つのサブ画面５２がいずれも温度の分布を第２特性として表示する例が示されているが、二つのサブ画面５２がそれぞれ異なる特性を表示してもよいし、三以上のサブ画面５２が表示されてもよい。
【００２１】
図１において、サブ画面（第２領域）５２は、円形枠線で囲まれた円形画面である。この場合、ユーザは、マウス操作（クリック，ダブルクリック等）によって主画面５１内つまり第１領域内の所望の一点を指定することで、当該所望の一点を中心とする所定半径の円形領域を、第２領域（上記所望の領域）５２として指定してもよい。このとき、ユーザは、ユーザによって設定される値を所定半径として用いてもよいし、デフォルト値を所定半径として用いてもよい。
【００２２】
サブ画面（第２領域）５２としては、円形画面に代えて、矩形枠線で囲まれた矩形画面が用いられてもよい（図１０，図１４，図１５参照）。この場合、ユーザは、マウス操作（クリック，ダブルクリック，ドラッグ等）によって主画面５１内つまり第１領域内の所望の二点を指定することで、当該所望の二点を対角線上の頂点とする矩形領域を、第２領域（上記所望の領域）５２として指定してもよい。
【００２３】
一方、本実施形態では、ユーザのマウス操作（ドラッグ等）によってサブ画面５２が主画面５１上で移動する際、以下のようなサブ画面５２の表示状態の制御が表示部５０に対して行なわれる。つまり、サブ画面５２の移動に伴ってサブ画面５２が通過する表示対象の領域（第１領域）における第２特性が、サブ画面５２の移動に追従させて、表示部５０でサブ画面５２に表示される。
【００２４】
また、本実施形態では、数値解析の結果として２種類以上の特性（物理量）が得られる場合、表示部５０において、各サブ画面５２の近傍には、１個以上（図１では３個）のアイコン５４が表示される。ｎ（ｎは自然数）種類の特性が得られる場合、少なくともｎ−１個のアイコン５４が表示される。つまり、上述した第１特性及び第２特性を含む異なる種別の複数の特性にそれぞれ対応する複数のアイコン５４が、各サブ画面５２とともに、表示部５０で表示される。
【００２５】
例えば、数値解析の結果として４種類の特性（物理量）Ａ〜Ｄが得られる場合、３個のアイコン５４が表示される。そして、特性Ａを流速、特性Ｂを温度、特性Ｃ，Ｆを流速や温度以外の特性とした場合、図１において、主画面５１は流速（特性Ａ）を示し、二つのサブ画面５２はいずれも温度（特性Ｂ）を示し、３つのアイコン５４はそれぞれ特性Ａ，Ｃ，Ｄに対応する。
【００２６】
このとき、本実施形態では、ユーザのマウス操作（クリック，ダブルクリック等）によって複数のアイコン５４の中から選択される一のアイコン５４に対応する特性が、第２特性として、表示部５０でサブ画面５２に表示される。
【００２７】
また、本実施形態では、各アイコン５４として、各アイコン５４を選択した場合に表示部５０で表示されるサブ画面５２を縮小した縮小画面（サムネイル）が用いられる。
【００２８】
さらに、本実施形態では、ユーザのマウス操作（ドラッグ等）によってサブ画面５２が主画面５１上で移動する際、以下のような各アイコン５４の表示状態の制御が表示部５０に対して行なわれる。つまり、サブ画面５２の移動に伴ってサブ画面５２が通過する表示対象の領域（第１領域）における第２特性が、サブ画面５２の移動に追従させて、表示部５０で各アイコン５４としての縮小画面（サムネイル）に表示される。
【００２９】
なお、本実施形態では、ユーザのマウス操作（クリック，ダブルクリック等）によって複数のアイコン５４の中から一のアイコン５４が選択された場合、以下のようなバックグラウンド処理が実行される。つまり、選択された一のアイコン５４に対応する特性をサブ画面５２に表示する処理と並行して、複数の特性のうち、前記一のアイコン５４に対応する特性以外の特性を示すサブ画面５２を表示するための表示データが先行生成される。
【００３０】
このように、第１特性を示す主画面５１上で指定される第２領域（所望の領域）における、第１特性とは異なる種別の第２特性を示すサブ画面５２が、第２領域に対応する主画面５１上の位置に重ねて表示される。これにより、ユーザは、所望の領域の異なる特性を視覚的に把握しやすくなる。したがって、数値解析の結果を総合的に評価するための時間を大幅に短縮できるとともに、数値解析結果の評価精度が大幅に向上する。
【００３１】
また、ユーザは、マウス操作によるサブ画面５２の移動に伴い、移動中や移動先での第２特性をサブ画面５２やアイコン（縮小画面）５４に追従表示させることができる。これにより、ユーザは、サブ画面５２を移動させながら、所望の領域の異なる特性をより視覚的に把握しやすくなる。したがって、数値解析の結果を総合的に評価するための時間をより短縮できるとともに、数値解析結果の評価精度がより向上する。
【００３２】
さらに、ユーザは、サブ画面５２で表示すべき特性を選択する際、アイコン５４としての縮小画面（サムネイル）を参照することで、当該アイコン５４を選択した際にサブ画面５２に表示される内容を把握することができる。したがって、所望の領域において所望の特性を確実に選択して表示させることができる。
【００３３】
また、ユーザのマウス操作によって一のアイコン５４が選択された場合、バックグラウンドで、前記一のアイコン５４に対応する特性以外の特性を示すサブ画面５２を表示するための表示データが先行生成される。これにより、次に選択されてサブ画面５２に表示される可能性のある特性についての表示データが先行生成されるので、ユーザが所望の特性に対応するアイコン５４を選択した際、当該特性を瞬時にサブ画面５２に表示させることができる。したがって、数値解析の結果を総合的に評価するための時間をより短縮することができる。
【００３４】
また、このとき、第１領域よりも狭い第２領域が表示データ生成対象であるため、全領域つまり第１領域を対象として表示データを生成する場合に比べ、表示データ生成対象領域を絞ることができ、表示処理に要する時間を大幅に短縮することができる。
【００３５】
〔２〕本実施形態の特性表示機能を有する情報処理装置の構成
図２及び図３を参照しながら、本実施形態の特性表示機能（物理量表示機能）を有する情報処理装置１０のハードウェア構成及び機能構成について説明する。図２は、本実施形態の情報処理装置１０のハードウェア構成を示すブロック図である。図３は、本実施形態の情報処理装置１０（処理部２０）の機能構成を示すブロック図である。
【００３６】
図２に示すように、本実施形態の情報処理装置（コンピュータ）１０は、例えば、物理現象を解析して得られる数値解析結果に含まれる各種特性（各種物理量）を表示する特性表示機能（物理量表示機能）を有し、処理部２０、記憶部３０、入力部４０、表示部５０を含む。処理部２０、記憶部３０、入力部４０、及び表示部５０は、バス６０を介して相互に通信可能に接続される。
【００３７】
処理部２０は、情報処理装置１０全体を制御する。処理部２０は、単一のプロセッサであってもよいし、マルチプロセッサであってもよい。処理部２０は、例えばＣＰＵ（Central Processing Unit），ＭＰＵ（Micro Processing Unit），ＤＳＰ（Digital Signal Processor），ＡＳＩＣ（Application Specific Integrated Circuit），ＰＬＤ（Programmable Logic Device），ＦＰＧＡ（Field Programmable Gate Array）のいずれか一つであってもよい。また、処理部２０は、ＣＰＵ，ＭＰＵ，ＤＳＰ，ＡＳＩＣ，ＰＬＤ，ＦＰＧＡのうちの２種類以上の要素の組み合わせであってもよい。
【００３８】
記憶部３０は、処理部２０による処理に必要な各種データを格納する。当該各種データとしては、例えば、解析データ３２、解析結果３３、及びテーブルＴ１，Ｔ２，Ｔ３が含まれるほか、プログラムなどが含まれる。プログラムとしては、処理部２０に実行させるＯＳ（Operating System）プログラムやアプリケーションプログラムが含まれてもよい。アプリケーションプログラムには、特性表示プログラム（物理量表示プログラム）３１が含まれてもよい。記憶部３０としては、ＲＡＭ（Random Access Memory）やＨＤＤ（Hard Disk Drive）が用いられてもよいし、フラッシュメモリ等の半導体記憶装置（ＳＳＤ；Solid State Drive）が用いられてもよい。
【００３９】
処理部２０に実行させるプログラムは、光ディスク，メモリ装置，メモリカード等の非一時的な可搬型記録媒体に記録されてもよい。可搬型記録媒体に格納されたプログラムは、例えば処理部２０からの制御により、記憶部３０にインストールされた後、実行可能になる。また、処理部２０が、可搬型記録媒体から直接プログラムを読み出して実行することもできる。
【００４０】
なお、光ディスクは、光の反射によって読み取り可能にデータを記録された可搬型の非一時的な記録媒体である。光ディスクとしては、Ｂｌｕ−ｒａｙ（登録商標），ＤＶＤ（Digital Versatile Disc），ＤＶＤ−ＲＡＭ，ＣＤ−ＲＯＭ（Compact Disc Read Only Memory），ＣＤ−Ｒ（Recordable）／ＲＷ（ReWritable）等が挙げられる。メモリ装置は、機器接続インタフェース（図示略）との通信機能を搭載した非一時的な記録媒体、例えばＵＳＢ（Universal Serial Bus）メモリである。メモリカードは、メモリリーダライタ（図示略）を介し処理部２０に接続されてデータの書込／読出対象になる、カード型の非一時的な記録媒体である。
【００４１】
入力部４０は、例えば、キーボード及びマウスであり、ユーザによって操作され、処理部２０に対する各種指示を行なう。なお、マウスに代え、タッチパネル，タブレット，タッチパッド，トラックボール等が用いられてもよい。また、入力部４０は、特性表示プログラム３１や解析データ３２や解析結果３３などの各種データを情報処理装置１０に入力すべく情報処理装置１０を各種記録媒体や各種ネットワークなどに接続するインタフェース部を含んでもよい。
【００４２】
表示部５０は、例えば、ＣＲＴ（Cathode Ray Tube）を用いた表示装置や液晶表示装置等であり、処理部２０による各種処理に係る情報を表示出力する。また、表示部５０は、処理部２０による各種処理に係る情報を印刷出力する出力部であってもよい。
【００４３】
本実施形態の処理部２０は、図３に示すように、記憶部３０等に保存される所定のアプリケーションプログラム（図示略）を実行することで、解析部２１としての機能を果たすほか、特性表示プログラム３１を実行することで、表示制御部２２としての機能を果たす。なお、上記所定のアプリケーションプログラムと特性表示プログラム３１とは、一つのプログラムに統合されて提供されてもよいし、別々のプログラムとして提供されてもよい。
【００４４】
解析部２１は、記憶部３０に保存される解析データ３２に基づき、解析対象（例えば、複数の部品を搭載された基板全体）についての数値解析を行ない、その数値解析の結果を解析結果３３として記憶部３０に保存する。
【００４５】
解析データ３２は、部品データや環境条件を含む（図４参照）。部品データは、部品形状や属性データ（物性値，発熱量等）を含む。環境条件は、解析対象が配置される環境の条件であり、例えば気温，湿度，気圧などが含まれていてもよい。解析データ３２は、情報処理装置１０（処理部２０）において作成されてもよいし、情報処理装置１０とは異なる他の情報処理装置（図示略）において作成されてもよい。解析データ３２が他の情報処理装置において作成される場合、解析データ３２は、他の情報処理装置から入力部（インタフェース部）４０を介して取得され記憶部３０に保存される。
【００４６】
解析結果３３は、メッシュ形状や物理量（特性）を含む（図４参照）。ここで、物理量（特性）としては、解析部２１の数値解析によって得られた２種類以上の特性、例えば風量（流速），温度，圧力などの物理量が含まれる。解析結果３３は、表示部５０での表示対象に相当する、第１特性（第１物理量）のデータ及び第２特性（第２物理量）のデータを含んでいる。
【００４７】
なお、解析部２１としての機能は、情報処理装置１０とは異なる他の情報処理装置（図示略）に備えられてもよい。この場合、表示対象に対応する解析対象についての解析結果３３は、他の情報処理装置から入力部（インタフェース部）４０を介して取得され記憶部３０に保存される。
【００４８】
表示制御部２２は、表示部５０の表示状態を制御する。特に、表示制御部２２は、本実施形態の特性表示機能を実現すべく、入力部４０から入力される各種情報／各種指示や、解析データ３２及び解析結果３３に基づき、表示部５０の表示状態を制御する。
【００４９】
表示制御部２２は、表示対象つまり解析対象の第１領域における第１特性（例えば風量）を示す主画面５１（図１，図９〜図１５参照）を、表示部５０で表示するように、表示部５０の表示状態を制御する。表示対象の第１領域や、第１特性は、例えば、ユーザの操作によって入力部４０から指定される。
【００５０】
表示制御部２２は、主画面５１内で指定される第２領域における第２特性（例えば温度または圧力）を示すサブ画面５２（図１，図１０，図１４，図１５参照）を、当該第２領域に対応する主画面５１上の位置に重ねて表示部５０で表示するように、表示部５０の表示状態を制御する。第２領域及び第２特性は、例えば、ユーザの操作によって入力部４０から指定される。第２領域は、前述したように円形枠線で囲まれた円形画面や矩形枠線で囲まれた矩形画面であってもよいし、円形や矩形以外の形状の画面であってもよい。
【００５１】
このとき、表示制御部２２は、記憶部３０から読み出した第１特性のデータ（解析結果３３に含まれるデータ）を示す主画面５１を作成し、作成した主画面５１を表示部５０に表示するように、表示部５０の表示状態を制御する。
【００５２】
また、表示制御部２２は、主画面５１内で第２領域の範囲の指定を受け付けると、受け付けた第２領域の範囲にある第２特性のデータ（解析結果３３に含まれるデータ）を記憶部３０から読み出してサブ画面５２を作成する。そして、表示制御部２２は、作成したサブ画面５２を主画面５１上の第２領域の位置に重ねた表示画面を作成し、作成した表示画面を表示部５０に表示するように、表示部５０の表示状態を制御する。
【００５３】
表示制御部２２は、サブ画面５２が主画面５１上で移動する際、サブ画面５２の移動に伴ってサブ画面５２が通過する表示対象の領域における第２特性を、サブ画面５２の移動に追従させて、表示部５０でサブ画面５２に表示するように、表示部５０の表示状態を制御する。主画面５１上でのサブ画面５２の移動は、例えば、ユーザが入力部４０を操作することによって実行される。
【００５４】
表示制御部２２は、第１特性および第２特性を含む異なる種別の複数の特性にそれぞれ対応する複数のアイコン５４（図１，図１０，図１４，図１５参照）を、サブ画面５２とともに、表示部５０で表示するように、表示部５０の表示状態を制御する。このとき、表示制御部２２は、複数のアイコン５４の中から選択される一のアイコン５４に対応する特性を、第２特性として、表示部５０でサブ画面５２に表示するように、表示部５０の表示状態を制御する。複数のアイコン５４の中からの一のアイコン５４の選択は、例えば、ユーザが入力部４０を操作することによって行なわれる。
【００５５】
表示制御部２２は、各アイコン５４として、各アイコン５４を選択した場合に表示部５０で表示されるサブ画面５２を縮小した縮小画面（サムネイル）を用いる。
【００５６】
表示制御部２２は、サブ画面５２が主画面５１上で移動する際、サブ画面５２の移動に伴ってサブ画面５２が通過する表示対象の領域における第２特性を、サブ画面５２の移動に追従させて、表示部５０で各アイコン５４としての縮小画面（サムネイル）に表示するように、表示部５０の表示状態を制御する。
【００５７】
表示制御部２２は、ユーザが入力部４０を操作することによって複数のアイコン５４の中から一のアイコン５４が選択された場合、バックグラウンド処理によって表示データの生成を行なう。つまり、表示制御部２２は、選択された一のアイコン５４に対応する特性をサブ画面５２に表示する処理と並行して、複数の特性のうち、前記一のアイコン５４に対応する特性以外の特性を示すサブ画面５２を表示するための表示データを先行生成する。
【００５８】
なお、表示制御部２２は、記憶部３０に保存される入力情報／解析結果情報テーブルＴ１、主画面表示テーブルＴ２、及びサブ画面表示テーブルＴ３を用いて各種情報を管理しながら、表示部５０における主画面５１及びサブ画面５２の表示状態の制御を行なう。
【００５９】
入力情報／解析結果情報テーブルＴ１は、表示制御部２２が表示対象（解析対象）についての主画面５１や一以上のサブ画面５２を表示部５０で表示するための表示データを生成する際に用いられる。入力情報／解析結果情報テーブルＴ１では、解析データ３２に含まれる各種入力情報や、解析結果３３に含まれる各種情報が保存される。
【００６０】
主画面表示テーブルＴ２は、表示制御部２２が一の主画面５１を表示するための主画面表示情報を保存する。主画面表示情報としては、主画面５１の表示領域を示す始点座標−終点座標（矩形主画面の対角線上における二つの頂点座標）や、表示物理量（第１特性；例えば風速）が保存される（図４参照）。
【００６１】
サブ画面表示テーブルＴ３は、サブ画面５２毎に生成され、表示制御部２２が各サブ画面５２を表示するためのサブ画面表示情報を保存する。サブ画面表示情報としては、各サブ画面５２の表示領域を示す始点座標−終点座標や、表示物理量（第２特性；例えば温度）が保存される（図４参照）。各サブ画面５２の形状が矩形である場合、始点座標−終点座標としては、例えば当該矩形の対角線上における二つの頂点座標が保存される。また、各サブ画面５２の形状が図１に示すごとく円形である場合、始点座標−終点座標としては、例えば当該円形の中心座標と円形の半径とが保存される。
【００６２】
〔３〕本実施形態の特性表示機能を有する情報処理装置の動作
次に、図４〜図８を参照しながら、本実施形態の特性表示機能を有する情報処理装置１０の動作について説明する。
【００６３】
まず、図４に示すフローチャート（ステップＳ１〜Ｓ３及びＳ１０〜Ｓ３０）に従って、本実施形態の特性表示機能（物理量表示機能）を有する情報処理装置１０の動作について概略的に説明する。
【００６４】
本実施形態の特性表示機能による動作を行なうのに先立ち、情報処理装置１０では、解析部２１によって、記憶部３０に保存される解析データ３２に基づき、解析対象についての数値解析が実行される（ステップＳ１及びＳ２）。
【００６５】
その際、前述したように、解析データ３２は、自情報処理装置１０の処理部２０、または他の情報処理装置で作成され（ステップＳ１）、記憶部３０に保存される。
【００６６】
そして、本実施形態では、解析部２１によって、解析データ３２に基づき、解析対象についての数値解析が行なわれ（ステップＳ２）、その数値解析の結果（メッシュ形状，各種物理量など）が解析結果３３として記憶部３０に保存される。
【００６７】
この後、ユーザは、情報処理装置１０における本実施形態の特性表示機能を利用し、表示部５０に主画面５１やサブ画面５２を表示させる。そして、ユーザは、主画面５１やサブ画面５２を参照しながら、２種類以上の特性の分布状況を把握して、数値解析の結果を総合的に評価・分析する（ステップＳ３）。ステップＳ１０〜Ｓ３０は、ステップＳ３での結果分析時の操作手順を示す。
【００６８】
数値解析の結果分析時には、まず、解析データ３２に含まれる各種入力情報や、解析結果３３に含まれる各種情報が読み込まれ、入力情報／解析結果情報テーブルＴ１に保存される（ステップＳ１０）。表示制御部２２によって、入力情報／解析結果情報テーブルＴ１が参照され、参照した情報に基づき、表示対象についての主画面５１やサブ画面５２を表示部５０で表示するための表示データが生成される（ステップＳ２０，Ｓ３０）。
【００６９】
ステップＳ２０では、ユーザによって選択指定された表示対象の第１領域（例えば基板全体）及び第１特性（表示物理量；例えば風速）についての全体系結果が表示部５０で主画面５１に表示される。つまり、表示制御部２２は、ユーザによって選択された表示対象の所望断面の全体画像を生成するとともに、ユーザによって選択された第１特性についての、上記所望断面における分布図（例えば風速コンター図）を生成して上記全体画像に射影する。このとき、主画面５１の表示情報、即ち、主画面５１の表示領域を示す始点座標−終点座標や、表示物理量（第１特性；例えば風速）は、主画面表示テーブルＴ２に保存される。ステップＳ２０における主画面５１の表示処理については図５を参照しながら後述する。
【００７０】
ステップＳ３０では、ユーザによって選択指定された第２領域（例えば基板上の所望部品を含む領域）及び第２特性（表示物理量；例えば温度，圧力）についての指定領域結果が表示部５０で主画面５１上のサブ画面５２に表示される。つまり、表示制御部２２は、主画面５１内で指定される第２領域における第２特性を示すサブ面５２を、当該第２領域に対応する主画面５１上の位置に重ねて表示部５０で表示する。このとき、サブ画面５２の表示情報、即ち、サブ画面５２の表示領域を示す始点座標−終点座標や、表示物理量（第２特性；例えば温度，圧力）は、サブ画面表示テーブルＴ３に保存される。ステップＳ３０におけるサブ画面５２の表示処理については図６を参照しながら後述する。
【００７１】
ステップＳ３０の処理の後、第２領域や第２特性を変更する場合、表示制御部２１はステップＳ３０の処理に戻る。また、表示対象（解析対象，第１領域）や第１特性を変更する場合、表示制御部２１はステップＳ２０の処理に戻る。
【００７２】
ついで、図５に示すフローチャート（ステップＳ２１〜Ｓ２５）に従って、本実施形態における主画面５１の表示処理（図４のステップＳ２０）について説明する。
【００７３】
表示制御部２２は、入力部４０を用いてユーザによって選択された表示対象の所望断面の全体画像を生成するための情報を、入力情報／解析結果情報テーブルＴ１から読み出して入力する（ステップＳ２１）。そして、表示制御部２２は、ステップＳ２１で入力した情報に基づき、前記所望断面の全体画像を生成する（ステップＳ２２）。
【００７４】
また、表示制御部２２は、表示すべき第１特性（表示物理量）の選択を、表示部５０を通じてユーザに促し、ユーザに表示すべき第１特性（例えば風速）を選択させる（ステップＳ２３）。そして、表示制御部２２は、入力部４０を用いてユーザによって選択された第１特性についての、上記所望断面における分布図（例えば風速コンター図）を生成して上記全体画像に射影する（ステップＳ２４）。
【００７５】
この後、表示制御部２２は、主画面表示テーブルＴ２によって主画面５１の表示情報を管理しながら、上記分布図を射影された上記全体画像を主画面５１に表示させる（ステップＳ２５）。
【００７６】
ついで、図６に示すフローチャート（ステップＳ３１〜Ｓ３８）に従って、本実施形態におけるサブ画面５２及びアイコン（縮小画面，サムネイル）５４の表示処理について説明する。
【００７７】
入力部４０を用いてユーザによってサブ画面５２の範囲（つまり第２領域）が、主画面５１上で入力指定されると（ステップＳ３１）、表示制御部２２は、入力情報／解析結果情報テーブルＴ１を参照し、指定されたサブ画面５２に対応する位置の断面の画像（部分画像）を生成する（ステップＳ３２）。
【００７８】
また、表示制御部２２は、表示すべき第２特性（表示物理量）の選択を、表示部５０を通じてユーザに促し、ユーザに表示すべき第２特性（例えば温度）を選択させる（ステップＳ３３）。そして、表示制御部２２は、入力部４０を用いてユーザによって選択された第２特性についての、上記断面における分布図（例えば温度コンター図）を生成して上記部分画像に射影する（ステップＳ３４）。
【００７９】
この後、表示制御部２２は、サブ画面表示テーブルＴ３によってサブ画面５２の表示情報を管理しながら、上記分布図を射影された上記部分画像を主画面５１に表示させる（ステップＳ３５）。このとき、表示制御部２２は、主画面５１内で指定される第２領域における第２特性（例えば温度または圧力）を示すサブ面５２を、当該第２領域に対応する主画面５１上の位置に重ねて表示部５０で表示する。
【００８０】
一方、ステップＳ３３で表示物理量が選択されると、表示制御部２２は、ステップＳ３３で選択された表示物理量以外の物理量があるか否かを判定する（ステップＳ３６）。選択された表示物理量以外の物理量がない場合（ステップＳ３６のＮＯルート）、表示制御部２２は、サブ画面５２の表示処理を終了する。
【００８１】
選択された表示物理量以外の物理量がある場合（ステップＳ３６のＹＥＳルート）、表示制御部２２は、表示物理量以外の物理量（例えば風速，圧力）についての、上記断面における分布図（例えば風速コンター図，圧力コンター図）を生成して上記部分画像に射影する（ステップＳ３７）。
【００８２】
この後、表示制御部２２は、上記分布図を射影された上記部分画像をアイコンサイズまたはサムネイルサイズに縮小した縮小画面（サムネイル）を生成する。そして、表示制御部２２は、当該縮小画面をアイコン５４としてサブ画面５２内（図１４，図１５参照）またはサブ画面５２近傍（図１，図１０参照）に表示し（ステップＳ３８）、ステップＳ３６の処理に戻る。
【００８３】
本実施形態では、ステップＳ３４及びＳ３５の処理と並行して、ステップＳ３６〜Ｓ３８の処理が実行されることで、選択外の物理量を示すサブ画面５２を表示するための表示データが先行生成され記憶部３０に保存される。つまり、当該表示データがバックグラウンドで生成される。
【００８４】
ついで、図７に示すフローチャート（ステップＳ４１〜Ｓ４３）に従って、本実施形態におけるアイコン５４としての縮小画面（サムネイル）に対する操作に伴う画面切替処理について説明する。
【００８５】
上述のように主画面５１上にサブ画面５２及びアイコン５４が表示されている状態で、入力部４０を用いてユーザによって一のアイコン（縮小画面）５４が選択されると（ステップＳ４１）、表示制御部２２は、データ置換つまりサブ画面５２の切替処理を行なう（ステップＳ４２）。
【００８６】
つまり、表示制御部２２は、選択された一のアイコン５４に対応する物理量（例えば圧力）を、第２特性として、表示部５０でサブ画面５２に表示するように、表示部５０の表示状態を制御する。このとき、表示制御部２２は、先行生成された、選択された一のアイコン５４に対応する物理量（例えば圧力）を示すサブ画面５２を表示するための表示データを、記憶部３０から読み出して表示中の表示データと置き換える（ステップＳ４２）。これにより、サブ画面５２の表示内容が切り替えられて表示される（ステップＳ４３）。このとき、サブ画面５２とともに表示されるアイコン５４としての縮小画面も、上記表示内容の切替に応じて変更される。
【００８７】
ついで、図８に示すフローチャート（ステップＳ５１〜Ｓ５６）に従って、本実施形態における副画面５２の移動操作時にサブ画面５２及び縮小画面５４の表示内容を追従させる処理について説明する。
【００８８】
上述のように主画面５１上にサブ画面５２及びアイコン５４が表示されている状態で、入力部４０を用いてユーザによってサブ画面５２が主画面５１上で移動する際、表示制御部２２は、以下のように動作する。
【００８９】
ユーザがマウス操作（例えばドラッグ）等によってサブ画面５２を主画面５１上で移動すると、表示制御部２２に当該サブ画面５２の移動量が入力される（ステップＳ５１）。表示制御部２２は、サブ画面５２の移動量が入力されると、当該移動量だけ移動した先のサブ画面５２に対応する位置の断面の画像（部分画像）を生成するとともに、選択中物理量についての当該断面における分布図を生成して当該部分画像に射影する（ステップＳ５２）。
【００９０】
この後、表示制御部２２は、サブ画面表示テーブルＴ３によってサブ画面５２の表示情報を管理しながら、当該分布図を射影された当該部分画像を主画面５１に表示させるように、サブ画面５２の表示状態を更新する（ステップＳ５３）。
【００９１】
このとき、表示制御部２２は、主画面５１内で指定される第２領域における第２特性（例えば温度または圧力）を示すサブ面５２を、当該第２領域に対応する主画面５１上の位置に重ねて表示部５０で表示する。
【００９２】
このようにして、サブ画面５２の移動に伴ってサブ画面５２が通過する表示対象の領域における第２特性を、サブ画面５２の移動に追従させて、表示部５０でサブ画面５２に表示することができる。
【００９３】
一方、ステップＳ５１でサブ画面５２の移動量を入力されると、表示制御部２２は、選択外の物理量があるか否かを判定する（ステップＳ５４）。選択外の物理量がない場合（ステップＳ５４のＮＯルート）、表示制御部２２は、サブ画面５２の追従処理を終了する。
【００９４】
選択外の物理量がある場合（ステップＳ５４のＹＥＳルート）、表示制御部２２は、選択外の物理量についての、当該断面における分布図を生成して当該部分画像に射影する（ステップＳ５５）。
【００９５】
この後、表示制御部２２は、当該分布図を射影された当該部分画像をアイコンサイズまたはサムネイルサイズに縮小した縮小画面（サムネイル）を生成する。そして、表示制御部２２は、当該縮小画面をアイコン５４としてサブ画面５２内またはサブ画面５２近傍に表示更新し（ステップＳ５６）、ステップＳ５４の処理に戻る。
【００９６】
本実施形態では、ステップＳ５２及びＳ５３の処理と並行して、ステップＳ５４〜Ｓ５６の処理が実行されることで、選択外の物理量を示すサブ画面５２を表示するための表示データが先行生成され記憶部３０に保存される。つまり、当該表示データがバックグラウンドで生成される。
【００９７】
このようにして、サブ画面５２の移動に伴ってサブ画面５２が通過する表示対象の領域における第２特性を、サブ画面５２の移動に追従させて、表示部５０で各アイコン５４としての縮小画面（サムネイル）に表示することができる。
【００９８】
このように、主画面５１上で指定される第２領域（ユーザ所望の領域）における、第１特性とは異なる種別の第２特性を示すサブ画面５２が、第２領域に対応する主画面５１上の位置に重ねて表示される。これにより、ユーザは、所望の領域の異なる特性を視覚的に把握しやすくなる。したがって、数値解析の結果を総合的に評価するための時間を大幅に短縮できるとともに、数値解析結果の評価精度が大幅に向上する。
【００９９】
また、ユーザは、マウス操作によるサブ画面５２の移動に伴い、移動中や移動先での第２特性をサブ画面５２やアイコン（縮小画面）５４に追従表示させることができる。これにより、ユーザは、サブ画面５２を移動させながら、所望の領域の異なる特性をより視覚的に把握しやすくなる。したがって、数値解析の結果を総合的に評価するための時間をより短縮できるとともに、数値解析結果の評価精度がより向上する。
【０１００】
さらに、ユーザは、サブ画面５２で表示すべき特性を選択する際、アイコン５４としての縮小画面（サムネイル）を参照することで、当該アイコン５４を選択した際にサブ画面５２に表示される内容を把握することができる。したがって、所望の領域において所望の特性を確実に選択して表示させることができる。
【０１０１】
また、ユーザのマウス操作によって一のアイコン５４が選択された場合、バックグラウンドで、前記一のアイコン５４に対応する特性以外の特性を示すサブ画面５２を表示するための表示データが先行生成される。これにより、次に選択されてサブ画面５２に表示される可能性のある特性についての表示データが先行生成されるので、ユーザが所望の特性に対応するアイコン５４を選択した際、当該特性を瞬時にサブ画面５２に表示させることができる。したがって、数値解析の結果を総合的に評価するための時間をより短縮することができる。
【０１０２】
また、このとき、第１領域よりも狭い第２領域が表示データ生成対象であるため、全領域つまり第１領域を対象として表示データを生成する場合に比べ、表示データ生成対象領域を絞ることができ、表示処理に要する時間を大幅に短縮することができる。
【０１０３】
〔４〕具体的な表示例
次に、図９〜図１５を参照しながら、本実施形態の情報処理装置１０の特性表示機能による具体的な表示例について説明する。
【０１０４】
図９は、第１特性としての流速分布のベクトル図を示す主画面５１の表示状態の一例を示す図である。図１０は、図９に示す主画面５１上で第２特性としての温度分布のコンター図を示すサブ画面５２を表示した場合の表示状態の一例を示す図である。
【０１０５】
図９に示す例では、表示対象つまり解析対象の第１領域における第１特性（ここでは流速分布を示す流速ベクトル図）を示す主画面５１が、表示部５０で表示される。第１領域は、例えば、複数の部品を搭載された基板全体の領域である。
【０１０６】
このとき、図１０に示すように、ユーザによって主画面５１内で指定される第２領域における第２特性（ここでは温度分布を示す温度コンター図）を示すサブ画面５２が、当該第２領域に対応する主画面５１上の位置に重ねて、表示部５０で表示される。前述したように、第２領域は、第１領域内における当該第１領域よりも狭い領域であり、例えば、ユーザの着目する基板上の部品を含む所望の領域である。
【０１０７】
また、図１０に示すように、主画面５１上において、サブ画面５２の近傍には、二つのアイコン５４が表示されている。これら二つのアイコン５４としては、各アイコン５４を選択した場合に表示部５０で表示されるサブ画面５２を縮小した縮小画面（サムネイル）が用いられ、図１０に示す二つのアイコン５４は、例えば流速及び圧力に対応する。
【０１０８】
図１０に示す表示状態で、圧力に対応するアイコン５４をクリック操作等によって選択すると、サブ画面５２の表示内容は、温度分布から圧力分布に相当する圧力コンター図等に切り替わる。また、圧力コンター図等を示すサブ画面５２に表示される二つのアイコン５４の表示は、それぞれ例えば流速及び温度に対応する縮小画面に切り替わる。
【０１０９】
図１１は、第１特性としての風量分布のコンター図（特性Ａ）を示す主画面５１Ａの表示状態の一例を示す図である。また、図１２は、第１特性としての温度分布のコンター図（特性Ｂ）を示す主画面５１Ｂの表示状態の一例を示す図である。さらに、図１３は、第１特性としての圧力分布のコンター図（特性Ｃ）を示す主画面５１Ｃの表示状態の一例を示す図である。図１１〜図１３は、いずれも、例えば複数の部品を搭載された基板全体の領域（第１領域）を表示対象としているものとする。
【０１１０】
ここで、図１４は、図１１に示す主画面５１Ａ上で、第２特性としての温度分布のコンター図（特性Ｂ）を示す副画面５２Ｂと、縮小画面５４Ａ，５４Ｃ（特性Ａ，Ｃ）とを表示した場合の表示状態の一例を示す図である。また、図１５は、図１４に示す表示状態において縮小画面５４Ｃを操作することで、副画面５２上で表示される第２特性を温度分布のコンター図（特性Ｂ）から圧力分布のコンター図（特性Ｃ）へ切り替えた場合の表示状態の一例を示す図である。
【０１１１】
図１４に示す例では、図１１に示す特性Ａを示す主画面５１Ａ上において、ユーザによって指定される第２領域における特性Ｂ（図１２参照）を示すサブ画面５２Ｂが、当該第２領域に対応する主画面５１Ａ上の位置に重ねて表示部５０で表示される。また、サブ画面５２Ｂ内には、それぞれ特性Ａ，Ｃに対応するアイコン５４Ａ，５４Ｃが表示される。
【０１１２】
図１４に示す表示状態で、特性Ｃに対応するアイコン５４Ｃをクリック操作等によって選択すると、サブ画面５２の表示内容は、温度分布（符号５２Ｂ及び図１２参照）から圧力分布（符号５２Ｃ及び図１３参照）に相当するコンター図に切り替わる。また、サブ画面５２Ｂに表示される二つのアイコン５４の表示は、それぞれ例えば特性Ａ及び特性Ｂに対応する縮小画面５４Ａ及び縮小画面５４Ｂに切り替わる。
【０１１３】
〔５〕その他
以上、本発明の好ましい実施形態について詳述したが、本発明は、係る特定の実施形態に限定されるものではなく、本発明の趣旨を逸脱しない範囲内において、種々の変形、変更して実施することができる。
【０１１４】
〔６〕付記
以上の実施形態に関し、さらに以下の付記を開示する。
【０１１５】
（付記１）
表示対象の第１領域における第１特性を示す主画面を、表示部で表示し、
前記主画面内で指定される第２領域における、前記第１特性とは異なる種別の第２特性（第２物理量）を示す副画面を、前記第２領域に対応する前記主画面上の位置に重ねて、前記表示部で表示する、
処理を、コンピュータに実行させる、特性表示プログラム。
【０１１６】
（付記２）
前記コンピュータは、前記第１特性のデータと前記第２特性のデータとを記憶する記憶部を有し、
前記記憶部から読み出した前記第１特性のデータを示す前記主画面を作成し、
作成した該主画面を前記表示部に表示し、
前記主画面内で前記第２領域の範囲の指定を受け付けると、受け付けた前記第２領域の範囲にある前記第２特性のデータを前記記憶部から読み出して前記副画面を作成し、
作成した前記副画面を前記主画面上の前記第２領域の位置に重ねた表示画面を作成し、
作成した該表示画面を前記表示部に表示する、
処理を、前記コンピュータに実行させる、付記１記載の特性表示プログラム。
【０１１７】
（付記３）
前記副画面が前記主画面上で移動する際、前記副画面の移動に伴って前記副画面が通過する前記表示対象の領域における前記第２特性を、前記副画面の移動に追従させて、前記表示部で前記副画面に表示する、
処理を、前記コンピュータに実行させる、付記１または付記２に記載の特性表示プログラム。
【０１１８】
（付記４）
異なる種別の複数の特性にそれぞれ対応する複数のアイコンを、前記副画面とともに、前記表示部で表示し、
前記複数のアイコンの中から選択される一のアイコンに対応する特性を、前記第２特性として、前記表示部で前記副画面に表示する、
処理を、前記コンピュータに実行させる、付記１〜付記３のいずれか一項に記載の特性表示プログラム。
【０１１９】
（付記５）
各アイコンとして、各アイコンを選択した場合に前記表示部で表示される前記副画面を縮小した縮小画面を用いる、
処理を、前記コンピュータに実行させる、付記４に記載の特性表示プログラム。
【０１２０】
（付記６）
前記副画面が前記主画面上で移動する際、前記副画面の移動に伴って前記副画面が通過する前記表示対象の領域における前記第２特性を、前記副画面の移動に追従させて、前記表示部で各アイコンとしての前記縮小画面に表示する、
処理を、前記コンピュータに実行させる、付記５に記載の特性表示プログラム。
【０１２１】
（付記７）
前記一のアイコンに対応する特性を前記副画面に表示する処理と並行して、前記複数の特性のうち、前記一のアイコンに対応する特性以外の特性を示す副画面を表示するための表示データを先行生成する、
処理を、前記コンピュータに実行させる、付記４〜付記６のいずれか一項に記載の特性表示プログラム。
【０１２２】
（付記８）
表示部の表示状態を制御する処理部を有し、
前記処理部は、
表示対象の第１領域における第１特性を示す主画面を、前記表示部で表示するように、前記表示部の表示状態を制御し、
前記主画面内で指定される第２領域における、前記第１特性とは異なる種別の第２特性を示す副画面を、前記第２領域に対応する前記主画面上の位置に重ねて、前記表示部で表示するように、前記表示部の表示状態を制御する、情報処理装置。
【０１２３】
（付記９）
前記第１特性のデータと前記第２特性のデータとを記憶する記憶部を有し、
前記処理部は、
前記記憶部から読み出した前記第１特性のデータを示す前記主画面を作成し、
作成した該主画面を前記表示部に表示するように、前記表示部の表示状態を制御し、
前記主画面内で前記第２領域の範囲の指定を受け付けると、受け付けた前記第２領域の範囲にある前記第２特性のデータを前記記憶部から読み出して前記副画面を作成し、
作成した前記副画面を前記主画面上の前記第２領域の位置に重ねた表示画面を作成し、
作成した該表示画面を前記表示部に表示するように、前記表示部の表示状態を制御する、付記８記載の情報処理装置。
【０１２４】
（付記１０）
前記処理部は、
前記副画面が前記主画面上で移動する際、前記副画面の移動に伴って前記副画面が通過する前記表示対象の領域における前記第２特性を、前記副画面の移動に追従させて、前記表示部で前記副画面に表示するように、前記表示部の表示状態を制御する、付記８または付記９に記載の情報処理装置。
【０１２５】
（付記１１）
前記処理部は、
異なる種別の複数の特性にそれぞれ対応する複数のアイコンを、前記副画面とともに、前記表示部で表示するように、前記表示部の表示状態を制御し、
前記複数のアイコンの中から選択される一のアイコンに対応する特性を、前記第２特性として、前記表示部で前記副画面に表示するように、前記表示部の表示状態を制御する、付記８〜付記１０のいずれか一項に記載の情報処理装置。
【０１２６】
（付記１２）
前記処理部は、
各アイコンとして、各アイコンを選択した場合に前記表示部で表示される前記副画面を縮小した縮小画面を用いる、付記９に記載の情報処理装置。
【０１２７】
（付記１３）
前記処理部は、
前記副画面が前記主画面上で移動する際、前記副画面の移動に伴って前記副画面が通過する前記表示対象の領域における前記第２特性を、前記副画面の移動に追従させて、前記表示部で各アイコンとしての前記縮小画面に表示するように、前記表示部の表示状態を制御する、付記１０に記載の情報処理装置。
【０１２８】
（付記１４）
前記処理部は、
前記一のアイコンに対応する特性を前記副画面に表示する処理と並行して、前記複数の特性のうち、前記一のアイコンに対応する特性以外の特性を示す副画面を表示するための表示データを先行生成する、付記１１〜付記１３のいずれか一項に記載の情報処理装置。
【０１２９】
（付記１５）
表示対象の第１領域における第１特性を示す主画面を、表示部で表示し、
前記主画面内で指定される第２領域における、前記第１特性とは異なる種別の第２特性を示す副画面を、前記第２領域に対応する前記主画面上の位置に重ねて、前記表示部で表示する、特性表示方法。
【０１３０】
（付記１６）
記憶部から読み出した前記第１特性のデータを示す前記主画面を作成し、
作成した該主画面を前記表示部に表示し、
前記主画面内で前記第２領域の範囲の指定を受け付けると、受け付けた前記第２領域の範囲にある前記第２特性のデータを前記記憶部から読み出して前記副画面を作成し、
作成した前記副画面を前記主画面上の前記第２領域の位置に重ねた表示画面を作成し、
作成した該表示画面を前記表示部に表示する、付記１５記載の特性表示方法。
【０１３１】
（付記１７）
前記副画面が前記主画面上で移動する際、前記副画面の移動に伴って前記副画面が通過する前記表示対象の領域における前記第２特性を、前記副画面の移動に追従させて、前記表示部で前記副画面に表示する、付記１５または付記１６に記載の特性表示方法。
【０１３２】
（付記１８）
異なる種別の複数の特性にそれぞれ対応する複数のアイコンを、前記副画面とともに、前記表示部で表示し、
前記複数のアイコンの中から選択される一のアイコンに対応する特性を、前記第２特性として、前記表示部で前記副画面に表示する、付記１５〜付記１７のいずれか一項に記載の特性表示方法。
【０１３３】
（付記１９）
各アイコンとして、各アイコンを選択した場合に前記表示部で表示される前記副画面を縮小した縮小画面を用いる、付記１８に記載の特性表示方法。
【０１３４】
（付記２０）
前記副画面が前記主画面上で移動する際、前記副画面の移動に伴って前記副画面が通過する前記表示対象の領域における前記第２特性を、前記副画面の移動に追従させて、前記表示部で各アイコンとしての前記縮小画面に表示する、付記１９に記載の特性表示方法。
【符号の説明】
【０１３５】
１０    情報処理システム
２０    処理部
２１    解析部
２２    表示制御部
３０    記憶部
３１    特性表示プログラム（物理量表示プログラム）
３２    解析データ
３３    解析結果
４０    入力部（インタフェース部）
５０    表示部（出力部）
５１，５１Ａ，５１Ｂ，５１Ｃ    主画面（第１領域，マスタ画面）
５２，５２Ｂ，５２Ｃ    副画面（第２領域，サブ画面）
５３    カラースケール
５４，５４Ａ，５４Ｂ，５４Ｃ    アイコン（縮小画面，サムネイル）
６０    バス
Ｔ１    入力情報／解析結果情報テーブル
Ｔ２    主画面表示テーブル
Ｔ３    サブ画面表示テーブル
【図１】
2017208031.tif 000003
【図２】
2017208031.tif 000004
【図３】
2017208031.tif 000005
【図４】
2017208031.tif 000006
【図５】
2017208031.tif 000007
【図６】
2017208031.tif 000008
【図７】
2017208031.tif 000009
【図８】
2017208031.tif 000010
【図９】
2017208031.tif 000011
【図１０】
2017208031.tif 000012
【図１１】
2017208031.tif 000013
【図１２】
2017208031.tif 000014
【図１３】
2017208031.tif 000015
【図１４】
2017208031.tif 000016
【図１５】
2017208031.tif 000017